(57)【要約】【課題】弾性力を用いてシート状物を内部に保持するシート状物収納容器において、弾性材としてスポンジを用いることで、シート状物をソフトに保持することができ、容易に取り出すことが可能なものを提案する。【解決手段】平行な底壁６及び頂壁２２を有するシート状物収納箱２と、上記底壁６上に設置されたスポンジ板３４とを具備し、このスポンジ板３４を圧縮させた状態でスポンジ板と頂壁２２との間にシート状物４２を挟持することができるようにして、シート状物収納箱２の一側に形成した開口部１６からシート状物が脱落しないように設けた。【選択図】図１
2010173719.tif 000002
【特許請求の範囲】
【請求項１】
平行な底壁６及び頂壁２２を有するシート状物収納箱２と、
上記底壁６上に設置されたスポンジ板３４とを具備し、
このスポンジ板３４を圧縮させた状態でスポンジ板と頂壁２２との間にシート状物４２を挟持することができるようにして、シート状物収納箱２の一側に形成した開口部１６からシート状物が脱落しないように設けたシート状物収納用容器。
【請求項２】
上記シート状物収納箱２は、底壁６の外周から周壁８を起立する本体４と、この本体の周壁の上面を閉じる頂壁２２を含む蓋２０との各後部を蓋の回動が可能に連結するとともに、これら本体４及び蓋２０の各前部に相互に係合する係合手段１８、２８を設け、
この係合手段により上記スポンジ板３４の圧縮状態を維持できるように構成したことを特徴とする、請求項１記載のシート状物収納容器。
【請求項３】
上記シート状物収納箱２の上部に、水平な一方向へ延びる案内溝３０を形成し、
この案内溝の延長方向に位置するシート状物収納箱２の側部に開口部１６を開口し、
さらに案内溝３０の内縁に沿ってスライドすることが可能な操作部材４４を設け、
この操作部材４４は、シート状物収納箱２の外側へ露出する操作部４６と、シート状物収納箱の内部にあって最上位のシート状物と当接する押圧部５４とを含み、
この操作部材４４を開口部１６側へ移動させることで、押圧部５４と当接する最上位のシート状物が開口部１６を経て外部へ押し出されるように構成したことを特徴とする、請求項１又は請求項２記載のシート状物収納容器。
【請求項４】
上記案内溝３０をシート状物収納箱２の蓋２０の頂壁２２に形成するとともに、
かつ操作部材４４の操作部４６を、案内溝３０を覆って蓋２０の頂壁２２の上面を開口部１６に対して進退可能な操作板に形成し、
上記頂壁２２とスポンジ板３４との間に、複数のシート状物４２の積層体４０を設け、
かつ上記操作部４６の裏面から、上記案内溝３０の対向する２つの長手方向内縁３１ａ，３１ｂにそれぞれ接して、シート状物収納箱２内へ突入させることが可能な脚片４８を設け、この脚片４８の下端部を押圧部５４としたことを特徴とする、請求項３に記載のシート状物収納容器。
【請求項５】
上記操作部材４４は、押圧部５４がシート状物の積層体４０の上面に当接した状態で、操作部４６と頂壁との間に間隙Ｈが存するように設け、操作部４６を指で押し下げたときに押圧部５４がシート状物収納箱２内へ突入するように構成したことを特徴とする、請求項４記載のシート状物収納容器。
【発明の詳細な説明】
【技術分野】
【０００１】
本発明は、シート状物収納容器に関する。ここでシート状物とは、油とり紙、オブラートなどのシート状製品をいう。
【背景技術】
【０００２】
扁平な容器体の底壁上に複数枚のシート状物を積層するとともに、このシート状物を押し下げて底壁との間に挟む弾性バネを設け、容器体側方の開口部から、最上位のシート状物を引き出し可能な構造したものが知られている（引用文献１）。
【０００３】
また上記構造において、上記弾性バネを、水平方向へのスライド板の下面に付設し、このスライド板の操作によりシート状物を一枚づつ確実に開口部へ送り出すことができるように構成したものが知られている（引用文献２）。
【先行技術文献】
【特許文献】
【０００４】
【特許文献１】特開２００５−３３０００１
【特許文献２】特開２００５−２８０７２４
【発明の概要】
【発明が解決しようとする課題】
【０００５】
上記特許文献１及び特許文献２のシート状物収納容器は、シート状物を容器内に維持するための手段として弾性バネを使用しているので、弾性力がシート状物の一部に過剰に強く作用し、そのためにシート状物を開口部から取り出すために大きな力が必要となったり、容器内部でひっかかったりすることがあった。
【０００６】
本願発明の第１の目的は、弾性力を用いてシート状物を内部に保持するシート状物収納容器において、弾性材としてスポンジを用いることで、シート状物をソフトに保持することができ、容易に取り出すことが可能なものを提案することである。
【０００７】
本願発明の第２の目的は、上記スポンジをスポンジ板としてシート状物を容器の頂壁との間に均等な力に挟むことができ、スムーズに取り出すことが可能なシート状物収納容器を提案することである。
【０００８】
本願発明の第３の目的は、容器内部へのスポンジ板及びシート状物のセットの容易なシート状物を提案することである。
【０００９】
本願発明の第４の目的は、スポンジ板と頂壁との間に挟まれたシート状物を操作部材を用いて容易に取り出すことができるシート状物収納容器を提案することである。
【課題を解決するための手段】
【００１０】
第１の手段は、
平行な底壁６及び頂壁２２を有するシート状物収納箱２と、
上記底壁６上に設置されたスポンジ板３４とを具備し、
このスポンジ板３４を圧縮させた状態でスポンジ板と頂壁２２との間にシート状物４２を挟持することができるようにして、シート状物収納箱２の一側に形成した開口部１６からシート状物が脱落しないように設けている。
【００１１】
本手段では、シート状物収納箱の一側に開口部を設け、かつこの開口部からシート状物が脱落しないように弾性力により挟持する構造の容器において、弾性材としてスポンジ板を用いることを提案している。スポンジ板を用いることで、シート状物への押圧面を広く、かつシート状物への当りをやわらかくすることができ、従ってシート状物を頂壁との間にソフトにかつ均等に挟むことができる。
【００１２】
「シート状物収納箱」は、任意に定める底壁及び頂壁を有する。「任意に定める」というのは、底壁と頂壁との関係が相対的なものであり、入れ替え可能であるという意味である。図１に示す容器を上下反転させて、下側の壁の上にシート状物を載せ、シート状物と上側の壁との間にスポンジシ板を介在させた構造も本手段の技術的範囲に含まれる。もっともその場合にはスポンジ板を上側の壁に固定することが好適である。底壁と頂壁とは相互に平行であり、両壁の対向面の間に一定の距離Ｄを有する。後述のスポンジ板の初期段階の厚さをｄ、予定するシート状物の全体の上下巾をＬとすると、Ｄ＜ｄ＋Ｌである（図４参照）。
【００１３】
「スポンジ板」は、水平で好ましくは一定の厚さを有するスポンジ製の板であり、厚さ方向に収縮・復元する弾性手段として機能する。スポンジとは柔軟で軽くかつ多数の気泡を有する素材である。その気泡が外部と連通する連続気泡であるタイプと、独立気泡であるタイプとがあるが、前者の方が収縮性があり、従って広い収縮範囲に亘ってソフトな弾性力（挟持力）を発揮することができる。好適な例は、発泡ウレタン、発泡ポリエチレンなどである。もっともある程度の定形性とシート状物を略均等に押し上げることができる弾性とを有すればどのような材料で形成してもよい。
【００１４】
「開口部」は、シート状物収納箱の側方の適所に開口する。この開口部は、例えばシート状物収納箱の側面から上面の一部に亘る切欠きとして、シート状物を摘んで引き出すように構成しても構わない。しかしながら、好適な図示例では、シート状物収納箱の側面にスリット状の開口部を穿設し、操作部材を用いてシート状物を開口部から外部へ押し出すようにしている。この構成では、この開口部を小さくすることができ、体裁がよい、埃が内部に侵入しにくいなどの利点があるからである。
【００１５】
第２の手段は、第１の手段を有し、かつ
上記シート状物収納箱２は、底壁６の外周から周壁８を起立する本体４と、この本体の周壁の上面を閉じる頂壁２２を含む蓋２０との各後部を蓋の回動が可能に連結するとともに、これら本体４及び蓋２０の各前部に相互に係合する係合手段１８、２８を設け、
この係合手段により上記スポンジ板３４の圧縮状態を維持できるように構成している。
【００１６】
本手段では、シート状物収納箱を本体と開閉可能な蓋とで形成するとともに、連結する辺と反対側に係合手段を形成することを提案している。こうすることで蓋の開閉操作を行うことによりシート状物とスポンジ板とをソフトに圧縮した状態で収納することができ、かつ上記係合手段により上記スポンジ板の圧縮状態を容易に維持することができる。
【００１７】
第３の手段は、第１の手段又は第２の手段を有し、かつ
上記シート状物収納箱２の上部に、水平な一方向へ延びる案内溝３０を形成し、
この案内溝の延長方向に位置するシート状物収納箱２の側部に開口部１６を開口し、
さらに案内溝３０の内縁に沿ってスライドすることが可能な操作部材４４を設け、
この操作部材４４は、シート状物収納箱２の外側へ露出する操作部４６と、シート状物収納箱の内部にあって最上位のシート状物と当接する押圧部５４とを含み、
この操作部材４４を開口部１６側へ移動させることで、押圧部５４と当接する最上位のシート状物が開口部１６を経て外部へ押し出されるように構成している。
【００１８】
本手段では、開口部からシート状物を押し出すための操作部材を提案する。前述の如く手でシート状物を引き出すようなこともできない訳ではないが、１枚のシート状物を摘んで引き出すのが面倒であり、利用者の手先の器用さ如何で操作性に差異を生ずる。本手段では一定方向へ操作部材をスライドさせるだけで、誰が操作しても容易かつ確実に所定のシート状物を取り出すことができる。好適な実施例では、複数枚のシート状物を積層して、この積層体をスポンジ板と押圧部及び頂壁下面との間にはさみ、操作部材の操作により積層体の上側から順次シート状物を開口部に送るようにしているが、この開口部は積層体の最上位のシート状物と同じ高さ（すなわち頂壁下面とほぼ同じ高さ）に形成するとよい。
【００１９】
「操作部材」は、案内溝の内縁に沿ってスライド可能に設ける。また操作部材はシート状物収納箱の外部に露出する部分（操作部）と、シート状物収納箱の内部に在って最上位のシート状物を外方へ引き出す部分（押圧部）とを有する。この二つの部分は、シート状物収納箱の適所に設けた孔（好適には案内溝）を介して連続している。図示例では、蓋の頂壁上面をスライドする板を操作部とし、この板の裏面から案内溝を通して押圧部である突片を垂下している。これとは反対に押圧部として蓋の頂壁の下面をスライドする板を設け、この板の上面から操作用の突片を起立することも可能であるが、図示例に比べると、シート状物収納箱内のフリーな容積が小さくなる。
【００２０】
第４の手段は、第３の手段を有し、かつ
上記案内溝３０をシート状物収納箱２の蓋２０の頂壁２２に形成するとともに、
かつ操作部材４４の操作部４６を、案内溝３０を覆って蓋２０の頂壁２２の上面を開口部１６に対して進退可能な操作板に形成し、
上記頂壁２２とスポンジ板３４との間に、複数のシート状物４２の積層体４０を設け、
かつ上記操作部４６の裏面から、上記案内溝３０の対向する２つの長手方向内縁３１ａ，３１ｂにそれぞれ接して、シート状物収納箱２内へ突入させることが可能な脚片４８を設け、この脚片４８の下端部を押圧部５４としている。
【００２１】
本手段では、操作部材の構成として、蓋の頂壁上面を摺動可能な操作板の裏面からシート状物の押圧用の脚片を垂下して、その脚片下端の押圧部をシート状物収納箱内へ突入させることが可能に設けている。この突入により脚片がシート状物の積層体に食い込む。これにより脚片とシート状物との間の摩擦抵抗が、頂壁とシート状物との間の摩擦抵抗よりも大きくなる。従って操作部材を開口部側へ移動すると、操作部材の脚片に牽かれて最上位のシート状物も開口部側へ摺動する。そしてこのシート状物の先端部が開口部から外部へ突出する。脚片は最初からシート状物収納箱内に突入するような長さとしてもよいが、後述の如く操作部材を操作したときに突入するようにしてもよい。本手段では、スポンジ板がシート状物をソフトに押し上げているために、シート状物と頂壁との当接面全体に摩擦抵抗が分散する。従ってシート状物が他の部材にひっかかるような不都合が生じにくい。また本手段の構成によれば、操作板を外部に出したので、シート状物収納箱の内部スペースにゆとりがある。なお、図１に示す例では、前後１対の脚片を付設しているが、これら脚片を連続した長さを有する横長の単一の脚片を付設しても構わない。
【００２２】
第５の手段は、第４の手段を有し、かつ
上記操作部材４４は、押圧部５４がシート状物の積層体４０の上面に当接した状態で、操作部４６と頂壁との間に間隙Ｈが存するように設け、操作部４６を指で押し下げたときに押圧部５４がシート状物収納箱２内へ突入するように構成している。
【発明の効果】
【００２３】
第１の手段に係る発明によれば、開口部からのシート状物の脱落を防止するためにスポンジ板３４を使用したから、頂壁２２との間に適切な挟持力が発揮され、シート状物の抜き取りが容易である。
【００２４】
第２の手段に係る発明によれば、シート状物収納箱２の本体４と蓋２０の後部を回動可能に連結し、かつこれら本体及び蓋の前部を互いに係合可能としたから、蓋を閉じるだけでスポンジ板３４が圧縮され頂壁２２との間にシート状物４２を挟持することができ、取り扱いが簡単である。
【００２５】
第３の手段に係る発明によれば、操作部材４４を用いるからシート状物を確実かつ容易に外部へ押し出すことができる。
【００２６】
第４の手段に係る発明によれば、スポンジ板３４の弾性力で頂壁との間にシート状物の積層体４０を緩く挟むとともに、この積層体へ操作部材の脚片４８を押圧するようにしたから、操作部材の操作によりシート状物を確実に開口部から取り出すことができる。
【００２７】
第５の手段に係る発明によれば、操作部材の押込みにより脚片の下端の押圧部を確実にシート状物の積層体に食い込ませることができる。
【図面の簡単な説明】
【００２８】
【図１】本発明に係るシート状物収納容器の平面図である。
【図２】図１の容器のＩＩ−ＩＩ方向から見た縦断面図である。
【図３】図１の容器のＩＩＩ−ＩＩＩ方向から見た縦断面図である。
【図４】図１の容器の開状態の縦断面図である。
【図５】シート状物の残量が大である状態の図１の容器の操作を示す図である。
【図６】図２の要部拡大図である。
【図７】図６の要部の作用を説明する図である。
【図８】図６の要部のさらに次の作用を説明する図である。
【図９】シート状物の残量が小である状態の図１の容器の操作を示す図である。
【図１０】図９の状態でシート状物を取り出した場面を示す図である。
【発明を実施するための形態】
【００２９】
本願発明のシート状物収納容器は、シート状物収納箱２と、スポンジ板３４と、シート状物の積層体４０と、操作部材４４とからなる。なお、シート状物は容器の被収納物と考えることもできるが、ここでは各部材との相互関係を説明するために容器の構成要素として説明する。
【００３０】
シート状物収納箱２は、全体として水平方向に扁平な形状であり、箱の本体４と、蓋２０とで構成される。
【００３１】
上記箱の本体４は、左右方向に長い長方形状の底壁６を有し、この底壁の左右両部の一方は、図２に示す如く外上方へ浅く傾く傾斜壁部６ａとしている。そしてこの底壁の外周から短く周壁８を起立する。上記傾斜壁部６ａ及び反対側の底壁部分には、図２に示すように左右方向に長短の第１、第２位置決めリブ１０、１２を突設し、また底壁２の前後両端部には、図３に示すように前後方向の第３位置決めリブ１４を突設している。第１、第２位置決めリブ１０，１２によりスポンジ板３４の左右方向の位置が、また第３位置決めリブ１４によりスポンジ板３４の前後方向の位置がそれぞれ固定される。また上記周壁８のうち傾斜壁部６ａと連続する側壁部分の上端部に開口部１６を形成する。この開口部は側壁部分上端面に形成する浅溝として形成することができる。開口部の前後巾は、少なくともシート状物４２の前後巾よりも長く、図示例の場合には、周壁８の短辺側の側壁部分のほぼ全長に亘って形成している。また周壁８の前壁部には、図３に示す如く第１係合手段１８としてのリブを横設する。
【００３２】
上記蓋２０は、上記周壁８の後壁部上端に肉薄ヒンジ２４を介して連結した頂壁２２と、この頂壁の前縁から垂下した連結板２６とからなる。この連結板の構面に第２係合手段２８を付設する。第２係合手段２８は、上記第１係合手段１８に対して分離可能に係合する。蓋２０の頂壁２２のほぼ中央部には左右方向に長い長方形状の案内溝３０が開口している。この案内溝３０は、後述の脚片を案内するための２本の長手方向内縁３１ａ及び３１ｂと、脚片の移動巾を規制する２本の短手方向内縁３２ａ及び３２ｂとを有する。長手方向内縁には、それぞれ図３に示すように係止用の下向き段部３６を形成している。
【００３３】
なお、変形例として本体４に対する蓋２０の開閉の向きを操作部材のスライド方向と同じ方向（前後方向）とすることも考えられる。
【００３４】
スポンジ板３４は、厚さが一定で上から見て長方形形状であり、上記底壁６の上に載置されている。スポンジ板３４の各辺は第１、第２、第３位置決めリブ１０，１２，１４で固定されている。図示例では初期状態のスポンジ板３４の厚さを上記底壁６からの周壁８の起立長と同程度としている。
【００３５】
シート状物の積層体４０は、複数枚のシート状物４２をスポンジ板３４の上に積み上げたものである。各シート状物４２は分離している。そしてシート状物同士の間の摩擦係数は、シート状物と合成樹脂（頂壁）との間の摩擦係数、及びシート状物とスポンジとの間の摩擦係数よりも小さいものとすることが望ましい。図５に示すように最初の状態においてシート状物の積層体４０と開口部１６との間には、一定の間隙Ａが存在することが望ましい。例えば容器を床に落としたときの衝撃や誤操作で操作部材４０が動いてしまった場合に、シート状部が開口部から突出することを防止するためである。
【００３６】
操作部材４４は、上記蓋２０の頂壁２２に対して装着している。この操作部材４４は、操作部４６と前後一対の脚片４８，４８とで形成している。
【００３７】
上記操作部４６は、図示例では、頂壁２２の上面に載置されたスライド板であり、この頂壁の左右巾の２／３程度の範囲を覆っている。操作板と頂壁との間には間隙Ｈを設ける。
【００３８】
上記一対の脚片４８，４８は、図３に示すように上記操作部４６の裏面から垂下して、上記案内溝３０内に入っている。図示例では、脚片４８の垂下長を頂壁２２の厚さよりも大とし、かつ脚片の各下端面を頂壁の下面と面一にしている。これら脚片４８の前後両外面は図４に示すようにスライド部５０，５０として案内溝３０の長手方向内縁３1ａ，３1ｂにスライド自在に当接している。また、スライド部よりも下方の脚片部分には、操作部材抜止め用の係止リブ５２，５２を付設している。これら係止リブ５２，５２は下向き段部３６に係止させる。さらに脚片４８，４８の下端部は押圧部５４として、シート状物４２に圧接させる。
【００３９】
ここでスポンジ板及びシート状物以外の各部材は合成樹脂で形成することができる。
【００４０】
上記構成において、シート状物４２を収納するときには、図４に示す如く、蓋２０の開蓋状態において、複数枚のシート状物４２をスポンジ板３４の上に載置すればよい。蓋２０を閉じれば、脚片４８，４８の下端部及び蓋２０の裏面によりシート状物４２が押し下げられ、スポンジ板３４が圧縮される。それとともに第１、第２係合手段１８、２８が係合することでスポンジ板３４の圧縮状態が保持される（図２参照）。図２の状態から操作部材４４を押し下げると脚片４８の下端である押圧部５４は浅くシート状物の積層体に食い込む。従って図５に矢示するように操作部材４４を開口部１６側へ押すと、押圧部５４と最上位のシート状物４２との間には摩擦力が作用する。その摩擦力は、最上位のシート状物と２番目の摩擦抵抗よりも小さいので、最上位のシート状物は脚片４８によって牽かれて操作部材４４とともに移動する。図５に想像線で示す位置まで操作部材が移動すると、シート状物４２の先端部が開口部から外側へ突出する。そこでこの先端部を摘んで、最上位のシート状物４２を引き抜けばよい。最上位のシート状物４２が引き出されると、スポンジ板が一枚のシート状物の厚さ分だけ弾性復元する（厚みが大きくなる）。これにより、２枚目のシート状物が押し上げられ、最上位のシート状物となる。
【００４１】
図６から図８は、図５の過程をより詳しく説明している。最初の状態では、図６に矢示で示すようにスポンジ板３４はシート状物の積層体４０を均等に押し上げている。図７の如く操作部材４４を押し下げると、押圧部５４はシート状物の積層体４０に食い込む。押圧部５４の押下げ力に対抗してスポンジ板の反力も増加する。従って押圧部と最上位のシート状物４２Ａとの間の摩擦抵抗は、頂壁２２と最上位のシート状物４２Ａとの摩擦抵抗よりも大となる。この状態で操作部材を進退させると、図８に示すように最上位のシート状物４２Ａも追従する。
【００４２】
図９及び図１０に示すようにシート状物の残量が残り少なくなったとき（図示例では２枚）でも脚片４８下方のスポンジ板３４の上面部分に凹み３８を生ずるので、シート状物の摺動が容易である。従って残り少ないシート状物を容易に取り出すことができる。
【符号の説明】
【００４３】
２…シート状物収納箱  ４…本体  ６…底壁  ８…周壁  
１０、１２、１４…位置決めリブ  １６…開口部  １８…第１係合手段
２０…蓋  ２２…頂壁  ２４…肉薄ヒンジ  ２６…連結板  ２８…第２係合手段
３０…案内溝  ３１ａ、３１ｂ…長手方向内縁  ３２ａ、３２ｂ…短手方向内縁
３４…スポンジ板  ３６…下向き段部  
４０…シート状物積層体  ４２…シート状物
４４…操作部材  ４６…操作部  ４８…脚片  ５０…スライド部  ５２…係止リブ
５４…押圧部
【図１】
2010173719.tif 000003
【図２】
2010173719.tif 000004
【図３】
2010173719.tif 000005
【図４】
2010173719.tif 000006
【図５】
2010173719.tif 000007
【図６】
2010173719.tif 000008
【図７】
2010173719.tif 000009
【図８】
2010173719.tif 000010
【図９】
2010173719.tif 000011
【図１０】
2010173719.tif 000012